(57)【要約】袋等を閉鎖する成形クリップは、その端部においてラッチおよび蝶番を有する一対の爪部を備える。蝶番は顎部から後方に延びて、かつ顎部後方において、制限された直径の後方に向いた開口を備える蝶番軸受を備える。他方の顎部は、弾性的に開口を通過して軸受内に嵌め込み係合され得る、固定された蝶番ピンを備える。顎部が比較的大きい場合は、顎部は、反力によって生成された力による顎部の軸線方向の移動を制限する、協働肩部を備え得る。一実施態様によれば、顎部の一つは両面を有し、クリップは、これらのうち一面を他方の顎部と対向して組み合わされて異なるクリップ機能を提供し得る。
2004531431.tif 000002
【特許請求の範囲】
【請求項１】
上部顎部および該上部顎部とほぼ同一の大きさを有する下部顎部と、前記各顎部は前方端および該前方端と軸線方向に対向する後方端とを備えることと；前記後方端と相互接続し、かつ前記顎部が互いに対向関係にある閉鎖位置と開放位置との間で、前記顎部の回転を可能にする蝶番手段と；前記各顎部の前方端に配置されて前記顎部を前記閉鎖位置に解放可能にて留める、協働ラッチ要素とを備える成形クリップであって；前記蝶番手段は、前記顎部の後方端に配置された蝶番軸受を備え、該蝶番軸受は側方に離間されて後方に延びるとともに、その間に通路を画成する一対の低部軸受部分と、前記低部軸受部分の上位に、前記低部軸受部分と離間された関係で配置される、少なくとも一つの後方に延びる上部軸受部分とを備え；前記低部軸受部分と前記上部軸受部分との互いに対向する面は共に、側方に延びるガジオン開口と後方に開放したスロートとを画成し、該スロートは前記ガジオン開口の直径と比較して狭められた直径を有しかつ前記通路および前記ガジオン開口と連絡し；前記蝶番手段はさらに、前記下部顎部の後方端から後方に延びるタブと、ガジオン開口内で回転するために前記ガジオン開口内に受容可能である蝶番要素とを備え、前記蝶番要素および前記スロートは、偏倚力の作用下で前記蝶番要素がスロート開口の間を通過可能である寸法に形成されている、成形クリップ。
【請求項２】
請求項１に記載の成形クリップであって、前記一対の低部軸受部分は、前記少なくとも一つの上部軸受部分を超えて後方に突出して、前記下部顎部が開放位置へ移動するのを制限する当接停止部を形成する成形クリップ。
【請求項３】
請求項２に記載の成形クリップであって、前記低部軸受部分同士は、その先端において湾曲部材によって接続されている成形クリップ。
【請求項４】
請求項１に記載の成形クリップであって、前記上部顎部は、後部壁によって後方端が閉鎖されたチャネル開口を有し、前記後方端部からは前記蝶番軸受が取り付けられ、前記後部壁には、前記通路と連絡しかつ前記少なくとも一つの上部部分に隣接するが上部部分を超えないように延びる孔が設けられている成形クリップ。
【請求項５】
請求項１に記載の成形クリップであって、前記顎部は、その後方端に隣接して、前記蝶番軸受とは独立した協働肩手段を備えて、前記顎部が物体に関して閉鎖することにより生成される反力による前記顎部の相対的な軸線方向の移動を制限する成形クリップ。
【請求項６】
請求項３に記載の成形クリップであって、前記湾曲部材上に着脱可能に取り付けられたクリップ付属品を備える成形クリップ。
【請求項７】
請求項６に記載の成形クリップであって、前記付属品は、前記クリップの一部に被さる第一の位置と、前記第一の位置からほぼ軸線方向に延びる第二の位置との間で移動可能であるように、前記湾曲部材上に回転可能に取り付けられる成形クリップ。
【請求項８】
請求項７に記載の成形クリップであって、前記付属品はスプーンである成形クリップ。
【請求項９】
請求項１に記載の成形クリップであって、前記上部壁は軸線方向に離間された一対のスロットを備え、該スロット内に着脱可能に取り付けられてスロット間にアーチを形成する取っ手をさらに備える成形クリップ。
【請求項１０】
請求項１に記載の成形クリップであって、前記上部顎部は上部顎部に沿ってチャネル開口を備え、該チャネル開口は軸線方向の端が開放されており、その開口に前記ラッチ要素が配置されている成形クリップ。
【請求項１１】
請求項１０に記載の成形クリップであって、前記クリップの前記下部顎部は、互いに背を向けた関係で配置された一対のリブを有し、前記蝶番は、前記リブのいずれかが前記上部顎部と対向関係で配置され得るように、前記下部顎部を配向させることを可能にする、成形クリップ。
【請求項１２】
請求項１１に記載の成形クリップであって、前記リブの一方のみがそのリブと関連する協働ラッチ要素を有する成形クリップ。
【請求項１３】
請求項１１に記載の成形クリップであって、上部軸受部分は軸線方向に分岐されている成形クリップ。
【請求項１４】
請求項１に記載の成形クリップであって、付け根が前記顎部の一つに堅固に連結された指状部材をさらに備え、該指状部材は前記顎部と共に前記付け根に接近するにつれて幅が減少する長尺状のスロットを画成し、該スロット内に切削刃部が装着されている成形クリップ。
【請求項１５】
請求項１に記載の成形クリップであって、前記顎部の一つに弾性的に取り付けられて、容器に前記クリップを保持するためのフックを形成する指状部材をさらに備える成形クリップ。
【発明の詳細な説明】
【技術分野】
【０００１】
本発明は、袋を閉鎖するのに使用されるクリップに関するが、これらのクリップは必ずしもその用途に限定されない。
【背景技術】
【０００２】
先行技術によるクリップは商業的によく知られており、本願の発明者と同一人による米国特許第４，８８７，３３５号および米国特許第６，０５８，５７２号に説明されたクリップによって概ね例証され得る。クリップは一般に、軸線方向に延びる一対の顎部を供え、一対の顎部は、開放位置と、顎部の対向する部分が隣接する閉鎖位置との間で揺動可能であるようにその一端において蝶番で相互接続され、かつ顎部は軸線方向の対向する端において、ラッチで閉鎖位置に開放可能にて保持されている。製造コストを節約するために、蝶番は一般に、一体型の蝶番（live  hinge ）である。（living  hinge としても知られている）。しかしながら、このような蝶番の構造は、例えばクリップが比較的弾性率の高い材料から形成されることが所望される場合等に、常に適切であるとは限らない。さらに、クリップを一体的な構造として成形することは、必ずしも常に便利であるとは限らず、または所望されるとは限らない。
【０００３】
ほぼ先行技術の構造を有するクリップを形成することは周知であるが、これらのクリップは、顎部が蝶番ピンを介して連結されている。このようなクリップの初期の例では、蝶番ピンは、顎部に関連する介在するガジオン開口を通って、機械操作により挿入されていた。米国特許第５，０５０，２７２号には、顎部が手操作で嵌め込み組み合わされ得るクリップについて説明されている。このクリップは、顎部の一つがチャネルを備え、対向する顎部は、顎部が閉鎖されるときにチャネル内に挟み込まれるリブを備える。蝶番ピンは、チャネルを備える顎部と一体成形されて顎部の対向する側壁の間に跨っており、ピンがその内部に係合可能である下方向に開放したスロットが、リブに設けられている。このクリップの幾何学的構造は、このクリップによって閉鎖され得る袋の大きさが、一体型の蝶番を備えた、同様の大きさを有するクリップと比較して減少するように構成されている。それに加えて、チャネルを備えた顎部の軸線方向の端部は、ピンが顎部と一体成形可能であるように、蝶番ピンの端部において開放されている。従って、チャネルを備えた顎部は、クリップの使用時に多大な応力を受け得、クリップの破損につながる可能性がある。さらに、クリップの顎部が完全に開放されると、顎部の一つがてこ台として働き、リブを備えた顎部のスロットが蝶番ピンから離脱するであろう。さらに、必要なチャネル構造がクリップの顎部の少なくとも一つに形成されることは、非一般的ではないが必ずしも必要ではない。
【発明の開示】
【発明が解決しようとする課題】
【０００４】
先行技術の全てのクリップにおいて、クリップの顎部が袋等の周囲を閉鎖する際に反力が生成される。クリップが、２５〜５０ｋｇの内容物を有し得る重い袋または大袋の閉鎖への使用に意図される場合、顎部の長さは一般に約２５０ｍｍであり得、顎部を軸線方向に移動させるのに十分な強力な反力が生成され得る。このことは、共に係合しているラッチ要素を破損させ、蝶番が嵌め込み型である場合は、嵌め込み要素が離脱し得る。
【０００５】
多数の食料品および他の製品が、袋等に封入されて消費者に販売されている。袋はその中味を取り出すために、通常はナイフまたははさみで開放されなければならず、その後、袋は本発明に関係するクリップによって閉鎖され得る。クリップに、例えば袋をスライス開放するスリッター、または袋から製品を測定された量だけ取り出すことを容易にする計量スプーン（ｓｃｏｏｐ）またはカップ等、一つ以上の付加的機能を提供することが望ましい。
【０００６】
本発明の第一の目的は、一体の蝶番を備えた同等のクリップの閉鎖容積と少なくとも同量である閉鎖容積を有する、嵌め込み型の蝶番を備えたクリップを提供することである。
【０００７】
本発明の別の目的は、過剰に回転された場合に離脱する傾向を有さない、嵌め込み型の蝶番を備えたクリップを提供することである。
【０００８】
本発明の更なる別の目的は、重荷重のもとで顎部が軸線方向に移動する傾向を有さない、嵌め込み型の蝶番を備えたクリップを提供することである。
【０００９】
本発明の更なる別の態様は、顎部の構成から比較的独立した、嵌め込み型の蝶番を備えたクリップを提供することである。
【００１０】
本発明の更なる目的は、異なる作動モードを有するクリップを提供することである。
【００１１】
本発明の更なる目的は、一つ以上の付帯的な機能を有するクリップを提供することである。
【課題を解決するための手段】
【００１２】
本発明の一態様によれば、この構造を有する成形クリップは、上部顎部および該上部顎部とほぼ同一の大きさを有する下部顎部と、前記各顎部は軸線方向に対向する端を備えることと、端の一つに配置され、かつ開放位置と、前記顎部が互いに対向関係にある閉鎖位置との間で、顎部の回転を可能にする蝶番手段と、蝶番手段と軸線方向に対向して配置されて顎部を閉鎖位置に解放可能にて保持するラッチ手段とを備え、前記蝶番手段は、前記顎部の後方端に配置された蝶番軸受を備え、ここで該蝶番軸受は、側方に離間されて後方に延びるとともに、その間に通路を画成する一対の低部軸受部分と、前記低部軸受部分の上位に、前記低部軸受部分と離間された関係で配置される、少なくとも一つの後方に延びる上部軸受部分とを備える特徴を有する。軸受部分の互いに対向する面は共に、側方に延びるガジオン開口と後方に開放したスロートとを画成し、スロートはガジオン開口の直径と比較して狭められた直径を有し、スロート開口は通路およびガジオン開口の双方と連絡する。蝶番手段はさらに、下部顎部の後方端から後方に延びるタブと、ガジオン開口内で回転するためにガジオン開口内に受容可能である蝶番要素とを備え、蝶番要素および前記スロートは、手で作用されるのに適し得る偏倚力の作用下で前記蝶番要素がスロート開口に沿って通過可能である寸法に形成されている。
【００１３】
蝶番構造が、互いに対向する顎部の面の後方に配置されていることは、一体型の蝶番を備えた同等の大きさのクリップの閉鎖容積よりも小さくない閉鎖容積を有する、独立形成された顎部を備えたクリップの形成を可能にする。また同様に、顎部の構成から比較的独立した蝶番の幾何学的形状が可能になる。
【００１４】
本発明の別の態様によれば、蝶番軸受部分の低い方は、スロート開口を超えて後方に延びて当接部を形成し、顎部の過度の回転を防止する。下部顎部が揺動して当接部に接触すると、顎部を開放させようとする任意の更なる試みはスロート開口を閉鎖させる作用をし、蝶番ピンをガジオン開口内に堅固に把握するであろう。これらの後方突出部分の先端は、湾曲部材によって適切に相互接続され得、例えば、販売展示の際にクリップを懸垂するか、またはクリップにより閉鎖された袋を懸垂するための便利な手段を提供する。
【００１５】
クリップの上部顎部に、下部顎部上に形成されたリブがその内部に介在し得るチャネルが顎部に沿って設けられている場合は、チャネルの後方端は、顎部の強度を増大させるために、後部壁によって閉鎖され得る。後部壁に通路と連絡する孔を形成して、後方に突出するタブがそこを通過できるようにすることが適当である。
【００１６】
本発明の更なる別の態様によれば、顎部の片方または双方は、その対向する表面上に異なる外形を有するように形成され得る。従って、クリップは、第一の機能を備えるように一様式に組み合わされ得、その後、他の機能を備えるように使用者によって異なる様式に再び組み合わされる。
【００１７】
ほぼ先行技術の性質を有するクリップは、密封状態にて市販されている閉鎖袋に使用されることが多く、ナイフまたははさみの使用でのみ開放され得る。本発明の更なる別の態様によれば、クリップは、はさみ等の必要性を不要にする一体成形された切削手段を備える。さらに、袋は一度開放されると、他の容器内に貯蔵され得る。従って、本発明は顎部の一つに保持された弾性的な指状部材を提供することを想定しており、この指状部材は、袋が使用されないときに容器を閉鎖する閉鎖クリップとしての役割をするであろう。
【００１８】
発明のこれらのおよび他の態様は、本願に添付された図面によって示された、本発明の好ましい実施態様に関連して説明する。
【００１９】
先行する説明および明細書を通して、上部および下部、前方および後方等の用語は全て、単に利便性のため相対的な概念で使用され、本発明を限定するものではない。
【発明を実施するための最良の形態】
【００２０】
図面を詳細に参照すると、図１〜７に示す本発明の第一実施態様によれば、強力クリップ(heavy-duty clip) は、概ね符号１０によって示されている。クリップ１０は、後方端１２および前方端１４、ならびに後方端と前方端との間の長手方向軸線を有する。クリップ１０は、一般に軸対称面を有するであろう。クリップ１０は上部顎部２０および下部顎部２２を備え、上部顎部はその一部が頂部壁２４、側壁２６、および端部壁２８によって画成されている。側壁および端部壁の各々は頂部壁から下垂して、端部壁は側壁と相互接続されており、頂部壁、側壁、および端部壁は共に下方向に開放したチャネル３０を形成している。
【００２１】
下部顎部２２は、軸線方向に延びるフランジ３４と、フランジから直立して軸線方向に延びるリブ３６とを備える。第一実施態様のクリップ１０は、特に強力な使用に耐えることが意図されると仮定すれば、フランジ３４とリブ３６との接合箇所の断面は物理的に大きなものであり得る。一般的な成形方法によって、その断面の大きさは、フランジ上に溝状の凹部をフランジに沿って形成して、軸線方向に離間された空間においてウェブ３８によって架橋することにより低減される。顎部２０および顎部２２はその後方端において、概ね符号４０で示される蝶番構造により相互接続され、その前方端において解放可能なラッチ４２により相互接続されている。
【００２２】
本発明によれば、蝶番４０は、上部顎部に装着されて、かつ上部顎部の後方端壁２８の後方に配置された蝶番軸受４４と、リブ３６から後方に延びるタブ４８で保持された側方に延びる蝶番ロッド４６とを備える。蝶番軸受４４は、水平方向に離間された一対の突出部５０を備え、各突出部は顎部２０から左側壁および右側壁２６のほぼ面内において後方に延びて、各突出部の間にて通路５２を画成している。蝶番軸受４４はさらに、舌状部５４によって形成された上位部分を備え、その上位部分は突出部５０に対して離間された関係で後方端壁２８から後方へ突出しており、突出部５０と舌状部５４との対向する面はガジオン開口６０を形成している。舌状部５４の先端５６は突出部５０に向かって下方向に湾曲しており、突出部５０と共に側方に延びるスロート開口を形成する。スロート開口はガジオン開口６０の直径と比較して狭められた直径を有する。スロート開口５８は、ガジオン開口６０と通路５２の双方と連絡している。軸受面の面積は、突出部５０の内側を向いた壁面上に小さい円柱状突起６２を設けることにより増大される。円柱状突起６２の間の側方の空間はタブ４８の側方の幅とほぼ等しく、従ってクリップ１０が開放されたときに、顎部２２は顎部２０に対して中央位置に保持されることが理解されるであろう。顎部２０の端部壁２８内に孔（ｐｏｒｔａｌ）６４が設けられており、この孔は通路５２と連絡し、かつ上方向に延びて舌状部５４の付け根に隣接して、タブ４８が端部壁２８を通過することを可能にすることに留意されよう。突出部５０の後方端は、舌状部５４の先端５６を越えて後方に延びて、後に説明する目的のために湾曲部材６６で相互接続されている。
【００２３】
顎部２０，２２を組み合わせる際には、蝶番ロッド４６が突出部５０の間を上方向に通過するように下部顎部２２を配向させて、次いで蝶番ロッドをスロート開口５８に対向して整合させる。その後、下部顎部２２を前方に押して、蝶番ロッド４６をスロート開口５８を通るように圧迫してガジオン開口６０内に嵌め込み、突出部５０と舌状部５４とで画成された軸受面に接触させる。
【００２４】
下部顎部２２のリブ３６およびフランジ３８は、クリップ１０が閉鎖されたときに、リブと、チャネル３０を画成する壁との間に迂曲通路７０が形成されるような寸法に形成されかつ配置されている。フランジ３８の上面にはスペーサ突起７２が設けられ、チャネル３０を画成する側壁縁の最も先端がフランジに接近するのを制限する。この隙間の一部は、迂曲通路７０を画成している。リブ３６の上部端には、リブの軸線方向の全長にほぼ沿って欠損部（ｌａｃｕｎａ）７４が設けられ、図３には欠損部の後方端部のみが示されている。この欠損もまたその一部が迂曲通路７０を画成する役割をする。一般的な顎部構造の同様の構成は、上述の−５７２特許においてより詳細に説明されている。この構成は、顎部２０，２２が袋または大袋の材料の比較的嵩張った層を挟むことを可能にする。本願のようにクリップ１０が強力な使用に耐えることを意図される場合に、顎部２０，２２が比較的厚手の材料に関して閉鎖することによって、特に厚手の材料が滑らかな表面仕上げを有し得る場合に、上部顎部２０を下部顎部２２に対して前方へ押すような強力な反力が生成される傾向が存在するであろう。この反力が、蝶番ロッド４６をスロート開口５８を通して後方へ圧迫するのに十分な大きさを有する場合、蝶番の組み合わせが離脱するであろう。この反力は、顎部２０，２２上に協働する側方の肩要素を設けることによって、クリップ１０内に束縛される。このような肩要素は、クリップ１０の蝶番の端部に隣接して配置され、顎部が互いに少なくとも４５°の角度を有する場合に連携することが好ましい。クリップ１０では、肩要素は上方に湾曲したフランジ部分７６として下部顎部に設けられており、協働する要素は両側壁２６の低部端に対して開放された反転Ｖ形状の切り欠き７８として上部顎部に提供されている。
【００２５】
頂部壁２４には、クリップ１０の端部１２，１４に隣接して、軸線方向に離間された一対のスロット８０が設けられている。クリップ１０の携帯を容易にするかまたは重い袋の懸垂を容易にするために、スロット８０に可撓性の取っ手８２を着脱可能に固定して、スロットの間でアーチを形成してもよい。クリップ１０に、クリップで閉鎖された袋の内容物を扱うために使用可能な付属品のスプーン８６を取り付けてもよい。スプーン８６は、蝶番軸受４４と同様の性質を有する蝶番軸受８８を備えることが適当であり、湾曲部材６６は蝶番軸受８８に把握される蝶番ロッドを形成して、スプーンの回転を可能にするであろう。蝶番軸受８８は、図２に示すように、側方寸法を有する湾曲部材９０を備え、従って湾曲部材９０は、スプーン８６が完全に開放された位置に移動するときに突出部５０の低部面上に保持される。湾曲部材６６は略円形の断面を有することが適当であり、蝶番軸受８８はこの湾曲部材と連携して、スプーン８６を開放位置かまたは閉鎖位置のいずれかに偏倚させる。湾曲部材６６は、クリップ１０と共に使用され得る他の代替的な付属品の便利な取り付け具として作用するか、またはその代わりに、あるいはそれに加えて、販売展示の際にクリップ１０を懸垂するかまたはクリップが取り付けられる袋と共にクリップを懸垂するハンガーとして作用するであろう。
【００２６】
図７に最良に示されるように、クリップ１０の顎部が完全に開放された位置に回転されるとき、下部顎部２２は蝶番４０の後方延長部分５０と当接するまで移動する。顎部２２をさらに開放位置へ回転させることを試みると、後方延長部分５０が舌状部５４を押して蝶番ピン４６をさらに堅固に捕捉するために、意図されない顎部の離脱が防止される。
【００２７】
図８を参照すると、図中のクリップ１１０はクリップ１０と同様の構成を有するが、クリップを使用する際に役立つ付帯的な付属品を備える。このような付属品の一つは、上部顎部の上部壁面から上方に突出するフック１１１を備える。フック１１１は、軸線方向に延びるばね体の指状部材１１３を備える。該指状部材はその基端１１５において、クリップ１１０の上部顎部に、上部顎部の軸端の一つに隣接して固定されており、離間された関係で顎部の上面にほぼ重なっている。フック１１１は、クリップで閉鎖されるべき袋を貯蔵するのに使用されるプラスチック製の牛乳容器等にクリップ１１０を取り付ける役割を果す。
【００２８】
クリップ１１０はさらに、カッター１２１の形態を有する付帯的な付属品を備える。カッター１２１は、クリップの下部顎部に、下部顎部の軸線方向の端部に隣接して比較的堅固に取り付けられた指状部材１２３を備える。指状部材１２３は、クリップ１１０の軸線方向にクリップの顎部と離間された関係で延びて、顎部と共に軸線方向の長尺状スロット１２５を画成する。指状部材１２３の幅は、指状部材１２３の先端１２７から基端１２９に向かって徐々に増大しているために、スロット１２３の幅は徐々に減少している。ナイフ刃部１３１は、スロット１２５内に指状部材１２３の基端１２９に隣接して配置され、刃部の面はクリップ１１０の軸線方向に装着されていると共に、刃部の刃先は下方向後方に傾斜している。一般に、カッター１２１は、例えば牛乳の袋または牛乳パック等の密封容器を切り開くために使用され、これらはその後クリップ１１０で閉鎖され得るであろう。
【００２９】
図９および図１０を参照すると、本発明によるクリップの第三実施態様が、図中に符号２１０によって示されている。クリップ２１０は、第一実施態様の上部顎部と同様の上部顎部２２０と、下部顎部２２２とを備える。下部顎部は、軸線方向に延びるフランジを備え、このフランジは、フランジから互いに背を向けた関係にて突出する第一リブ２３６Ａおよび第二リブ２３６Ｂを有する。図示するように、リブ２３６Ａは上部顎部２２２と対面関係にあるものとして示され、先行例の５７２特許により詳細に説明されている方法、即ち、クリップが袋の寄り集められた口部をラッチにより閉鎖する方法で、プラスチック袋または他の変形可能な容器の口部を閉鎖するように使用され得る。
【００３０】
クリップ２１０は、それ自体が商業的に周知であるオーブンロースト用の袋に使用するのに特に適している。袋に添付されている仕様書には、袋を閉鎖して拘束するステップと、袋の壁をフォークの歯で数回穿刺するステップとが記されている。この穿刺ステップは、調理工程において蒸気が袋から脱出可能となるために必要である。このような袋の穿刺は厳密なものではないため、予測し得ない結果が生じる。さらに、袋の一体性が損なわれるために、その後の食料品の貯蔵における使用が不可能となり、更なる任意の目的には適さないであろう。
【００３１】
クリップ２１０は、図１０に示す様式にてロースト工程に使用される。ここで袋Ｂの頂部は、袋の幅全体を横切る折り目Ｆで折られており、折り目に対して側方にクリップ２１が適用されている。この配置は、制御のもとで袋の一体性を損なうことなく袋Ｂの脱気を可能にする単純弁としての機能をするために、所望であればその後、袋を貯蔵目的で使用することが可能となる。クリップ２１０がこの様式でオーブンローストに使用される場合、袋の一体性を維持するべき場合は、顎部をラッチで閉鎖することが不可能であり、下部顎部２２２はリブ２３６Ｂに関連する任意のラッチ要素を含まないことが理解されよう。クリップ２１０が図１０に示す様式でロースト用の袋を閉鎖するのに使用される場合、リブ２３６Ｂが上部顎部２２０に対して対面関係となるように、使用者がクリップを組み合わせる。リブ２３６Ｂは、上部顎部の側壁２２６の内側を向いた面と軽く接触するように大きさが定められ、従ってクリップの顎部はラッチで留められることなく閉鎖状態が維持される。クリップ２１０が、図示される様式で袋Ｂに関して閉鎖するとき、強力な抵抗力が発生する。これは特に、クリップ２１０が製造される材料が通常、約１８０〜２０５°Ｃ（３５０〜４００°Ｆ）のオーブンロースト温度に耐えられるように、かつクリップの壁が変形しないように、繊維強化されかつ高い弾性率を有する場合に顕著である。異なる壁厚を有する袋への使用に対応するために、クリップの側壁２２６は、顎部の前方端においていずれの端部壁とも連結されず、従って顎部２２０のチャネル２３０はこの端部において開放端を有する。この構成は、重荷重の影響によって側壁２２６が外側に開くことを可能にし、さらに、前述した様式でローストに使用される際に、クリップの把持作用を促進する。またさらに、図１０から理解され得るように、チャネル２３０の開放前方端は、袋Ｂの壁がチャネル内に比較的滑らかに導入されることを容易にする。本実施態様の蝶番２４０では、舌状部２５４は軸線方向に分岐されているために、クリップ２１０の後方端の側壁２２６は架橋されておらず、従って任意の所望の外開き動作は束縛されない事に留意されよう。
【図面の簡単な説明】
【００３２】
【図１】付属品のスプーンを備えた、本発明による強力クリップの後部、頂部、右側からの斜視図。
【図２】開放位置にある付属品のスプーンと、クリップと係合する位置にあるハンドルとを備えた、短縮された図１と同様のクリップ。
【図３】明白さのため分離して示す、クリップの顎部の後方底部、右側、および後方部分からの斜視図。
【図４】組み合わされかつ閉鎖された顎部を備えたクリップの、後部、頂部、右側、後方部分からの斜視図。
【図５】上部顎部の後方部分の側方正面図。
【図６】図１の線６−６に沿ったクリップの側方断面図。
【図７】完全に開放されたときの、クリップの後部部分の側方正面図。
【図８】第二実施態様によるクリップの、後部、右側からの斜視図および分解図。
【図９】第三実施態様によるクリップの、後部、左側からの斜視図および分解図。
【図１０】図９のクリップの使用の一様式を示す図。
【国際公開パンフレット】
2004531431.tif 000003
2004531431.tif 000004
2004531431.tif 000005
2004531431.tif 000006
2004531431.tif 000007
2004531431.tif 000008
2004531431.tif 000009
2004531431.tif 000010
2004531431.tif 000011
2004531431.tif 000012
2004531431.tif 000013
2004531431.tif 000014
2004531431.tif 000015
2004531431.tif 000016
2004531431.tif 000017
2004531431.tif 000018
【国際公開パンフレット（コレクトバージョン）】
2004531431.tif 000019
2004531431.tif 000020
【国際調査報告】
2004531431.tif 000021
2004531431.tif 000022
2004531431.tif 000023